(57)【特許請求の範囲】
【請求項１】
建物の基礎の立上部に搭載され、前記立上部の幅方向外側に蓄電池を支持する支持部が設けられた支持フレームを有している、蓄電システム。
【請求項２】
前記支持フレームは、前記立上部を跨ぐように中央部が上方に向けて凸に形成され、凸部分の両側に前記支持部が設けられている、請求項１に記載の蓄電システム。
【請求項３】
前記蓄電池の上部を押さえる上フレームを備え、前記上フレームと前記支持フレームとの間に前記蓄電池が設置されている、請求項２に記載の蓄電システム。
【請求項４】
前記支持フレームの中央部には、上方に向けて延びる側壁が形成され、
前記側壁に前記上フレームが連結部材で着脱可能に連結されている、請求項３に記載の蓄電システム。
【請求項５】
床梁の下面レベルよりも下側に、前記支持フレームと前記上フレームとが配置される、請求項３または請求項４に記載の蓄電システム。
【請求項６】
前記蓄電池の端子に接続される電気ケーブルのコネクタには防水コネクタが用いられている、請求項１〜請求項５の何れか１項に記載の蓄電システム。
【請求項７】
複数の前記蓄電池が直列に接続され、直列接続における前記蓄電池の始端の端子と終端の端子には各々宅内引き込み用の電気ケーブルの一端が接続されている、請求項１〜請求項６の何れか１項に記載の蓄電システム。
【請求項８】
前記支持フレームには、前記立上部の側面に圧接する突起が形成されている、請求項１〜請求項７の何れか１項に記載の蓄電システム。
【発明の詳細な説明】
【技術分野】
【０００１】
本発明は、建物に設けられ、電力を貯蔵するための蓄電池を備えた蓄電システムに関する。
【背景技術】
【０００２】
蓄電システムを用いた住宅では、蓄電池の収納スペースとして、住宅のデッドスペースが有効利用される。例えば、特許文献１では、床下のスペースを蓄電池の設置場所として利用する技術が開示されている。床下は、自然換気によって換気されているため、風通しがよくまた比較的周囲温度が低く、蓄電池の放熱や冷却、発生・漏出するガスの排出を効率よく行うことができる。
【先行技術文献】
【特許文献】
【０００３】
【特許文献１】特開２０１０―１６３７４４号公報。
【発明の概要】
【発明が解決しようとする課題】
【０００４】
しかしながら、上記電力貯蔵システムでは、蓄電池を載せて移動する台座が必要であり、床下の地盤上に、蓄電池を載せた重量のある台座をスムーズに走行させるためにコンクリートの仕上げやレールの敷設等、特別な施工が必要となり、台座もキャスターを取り付ける等して移動可能な構造としなければならず、高コストとなる。
【０００５】
また、蓄電池を載せた台車を、建物の床下天井面に取り付けた走行レールに吊下げる方法もあるが、定常的に蓄電池の重量が床に作用するため、床が曲がる等、建物の床構造に影響を与える虞がある。
【０００６】
本発明は上記事実を考慮し、基礎に特別な施工を施すことなく、また、建物に影響を及ぼすことが無いように蓄電池を設置可能な蓄電システムの提供を目的とする。
【課題を解決するための手段】
【０００７】
請求項１に記載の蓄電システムは、基礎の立上部に搭載され、前記立上部の幅方向外側に蓄電池を支持する支持部が設けられた支持フレームを有している、蓄電システム。
【０００８】
次に、請求項１に記載の蓄電システムの作用を説明する。
請求項１に記載の蓄電システムでは、支持フレームの支持部に蓄電池を支持することができ、蓄電池を支持部で支持した支持フレームを基礎の立上部に搭載することで、蓄電池（の重量）は支持フレームを介して基礎に支持される。
【０００９】
蓄電池を支持した支持フレームを基礎の立上部に搭載するだけで済むため、床下の地盤に特別な施工等は必要としない。また、蓄電池の重量は、頑丈な基礎に支持されるため、蓄電池によって建物に影響が及ぶことは無い。
【００１０】
請求項２に記載の発明は、請求項１に記載の蓄電システムにおいて、前記支持フレームは、前記立上部を跨ぐように中央部が上方に向けて凸に形成され、凸部分の両側に前記支持部が設けられている。
【００１１】
次に、請求項２に記載の蓄電システムの作用を説明する。
請求項２に記載の蓄電システムでは、凸部分が立上部を跨ぐように支持フレームが立上部に搭載される。支持フレームの中央部を上方に向けて凸形状とすることで、両側の支持部は凸部の頂部よりも下方に位置することとなり、その結果、支持部に搭載される蓄電池の重心位置が下がり、蓄電池を支持した支持フレームは、地震等の揺れに対して安定する方向となり好ましい。
【００１２】
請求項３に記載の発明は、請求項２に記載の蓄電システムにおいて、前記蓄電池の上部を押さえる上フレームを備え、前記上フレームと前記支持フレームとの間に前記蓄電池が設置される。
【００１３】
次に、請求項３に記載の蓄電システムの作用を説明する。
請求項３に記載の蓄電システムでは、蓄電池の上部が上フレームで押さえられる。このため。蓄電池を支持した支持フレームの輸送時、吊り上げ時、吊下げ時等において蓄電池の脱落を防止することが出来る。
【００１４】
請求項４に記載の発明は、請求項１〜請求項３の何れか１項に記載の蓄電システムにおいて、前記支持フレームの中央部には、上方に向けて延びる側壁が形成され、前記側壁に前記上フレームが連結部材で着脱可能に連結されている。
【００１５】
次に、請求項４に記載の蓄電システムの作用を説明する。
請求項４に記載の蓄電システムでは、側壁に前記上フレームが連結部材で着脱可能に連結されているため、必要に応じて側壁と上フレームとの連結を解除することができる。例えば、蓄電池を交換する場合等には、連結部材による側壁と上フレームとの連結を解除し、上フレームを上方に移動させることで、蓄電池の交換が可能となる。
【００１６】
請求項５に記載の発明は、請求項３または請求項４に記載の蓄電システムにおいて、床梁の下面レベルよりも下側に、前記支持フレームと前記上フレームとが配置される。
【００１７】
次に、請求項５に記載の蓄電システムの作用を説明する。
床梁の下面は、床梁の上に配置される床材よりも下側に位置しており、床梁の下面（レベル）から床材の下面までには、床梁の高さ寸法を有する空間がある。
【００１８】
このため、蓄電池を押さえている上フレームを床梁の下面レベルよりも下側に位置するようにしておけば、上フレームの上に上記空間があるため、蓄電池を交換する場合等に、上フレームを上方に移動することができる。
【００１９】
請求項６に記載の発明は、請求項１〜請求項５の何れか１項に記載の蓄電システムにおいて、前記蓄電池の端子に接続される電気ケーブルのコネクタには防水コネクタが用いられている。
【００２０】
次に、請求項６に記載の蓄電システムの作用を説明する。
請求項６に記載の蓄電システムでは、蓄電池の端子に電気ケーブルの防水コネクタが接続されるので、仮に、蓄電池に水がかかったり、床下浸水した時においても、ショートや漏電の虞が無い。
【００２１】
請求項７に記載の発明は、請求項１〜請求項６の何れか１項に記載の蓄電システムにおいて、複数の前記蓄電池が直列に接続され、直列接続における前記蓄電池の始端の端子と終端の端子には各々宅内引き込み用の電気ケーブルの一端が接続されている。
【００２２】
次に、請求項７に記載の蓄電システムの作用を説明する。
【００２３】
複数の前記蓄電池が直列に接続され、直列接続における蓄電池の始端の端子と終端の端子の各々に宅内引き込み用の電気ケーブルが接続されているため、この宅内引き込み用の電気ケーブルを宅内の電気機器に接続することで、蓄電池の電力を宅内の機器に送ることができる。なお、宅内引き込み用の電気ケーブルを用いて蓄電池の充電を行うことも出来る。
【００２４】
請求項８に記載の発明は、請求項１〜請求項７の何れか１項に記載の蓄電システムにおいて、前記支持フレームには、前記立上部の側面に圧接する突起が形成されている。
【００２５】
次に、請求項８に記載の蓄電システムの作用を説明する。
請求項８に記載の蓄電システムでは、立上部に搭載された支持フレームの突起が、立上部の側面に圧接しているため、蓄電池の交換作業や、地震等において、立上部に対する支持フレームのズレ（立上部の幅方向）が抑えられる。
【発明の効果】
【００２６】
以上説明したように請求項１に記載の蓄電システムによれば、基礎に特別な施工を施すことなく、また、建物に影響を及ぼすことが無い、という優れた効果を有する。
【００２７】
請求項２に記載の蓄電システムによれば、蓄電池を安定して支持することができる、という優れた効果を有する。
【００２８】
請求項３に記載の蓄電システムによれば、蓄電池の脱落を防止することが出来る、という優れた効果を有する。
【００２９】
請求項４に記載の蓄電システムによれば、蓄電池の交換が容易になる、という優れた効果を有する。
【００３０】
請求項５に記載の蓄電システムによれば、上フレームを上方に移動することができる、という優れた効果を有する。
【００３１】
請求項６に記載の蓄電システムによれば、蓄電池に水がかかったり、床下浸水した際のショートや漏電を防止できる。
【００３２】
請求項７に記載の蓄電システムによれば、蓄電池の電力を宅内の電気機器に輸送できる。
【００３３】
請求項８に記載の蓄電システムによれば、支持フレームのズレを抑えることが出来る。
【図面の簡単な説明】
【００３４】
【図１】（Ａ）は柱の断面図であり、（Ｂ）は第１の実施形態に係る蓄電システムの断面図である。
【図２】ユニット建物の要部の構造を示す斜視図である。
【図３】（Ａ）は上フレームを取った蓄電システムの平面図であり、（Ｂ）は蓄電システムの断面図（図３（Ａ）の３（Ｂ）−３（Ｂ）線断面図）である。
【図４】（Ａ）は防水コネクタの断面図であり、（Ｂ）は蓄電池の端子に接続した防水コネクタの断面図である。
【図５】蓄電システムの取り手順を示す断面図である。
【図６】蓄電池を取り外している状態を示す蓄電システムの断面図である。
【図７】第２の実施形態に係る蓄電システムの断面図である。
【図８】第３の実施形態に係る蓄電システムの断面図である。
【発明を実施するための形態】
【００３５】
［第１の実施形態］
以下、図１〜図６を用いて、本発明に係る蓄電システムの第１の実施形態について説明する。
【００３６】
図２には、本発明の第１の実施形態に係る蓄電システムが適用される建物の一例としてのユニット建物１２の一部が示されている。
ユニット建物１２は、複数の建物ユニット１４が、地盤１６上に設けられた建物の基礎構造の一例としての基礎構造体１８上において桁方向（矢印Ｘ方向）及び妻方向（矢印Ｙ方向）に隣接して配置され、順次据え付けられていくことにより構成されている。
【００３７】
これらの建物ユニット１４は、建物躯体の一例としての複数本の柱２０、天井大梁２２、及び床大梁２４にて箱形状に骨組みが配置された構成となっている。
なお、図２のユニット建物１２は１階のみが示されているが、建物ユニット１４を１階の建物ユニット１４の上に配置して２階建て以上にすることもできる。また、ユニット建物１２の構成は、上記構成に限られることなく、他の箱形の架構構造であっても良い。
【００３８】
鉄筋等で補強されたコンクリートからなる基礎構造体１８は、一例として、基礎の外周部を形成する枠状の外側基礎本体２６と、外側基礎本体２６よりも内側の敷地に格子状に設けられた内側基礎本体２８とを含んで構成されている。なお、内側基礎本体２８は、４本の柱を支持する部分を除いて、外側基礎本体２６よりも低く形成されている。
【００３９】
図１に示すように、本実施形態の蓄電システム３０は、複数の蓄電池３２と、これらの蓄電池３２を支持するフレームアッシー３４を備えている。フレームアッシー３４は、鋼板製の支持フレーム３６と、上フレーム３８を含んで構成されている。
【００４０】
支持フレーム３６は、内側基礎本体２８の立上部２８Ａの上部に搭載され、基礎長手方向に沿って延びる長方形の搭載面３６Ａ、搭載面３６Ａの幅方向両側から下方に向けて立上部２８Ａと平行に延びる側面３６Ｂ、側面３６Ｂの下端から立上部２８Ａの幅方向外側へ延びる支持面３６Ｃ、支持面３６Ｃの端部から上方へ延びる下フランジ部３６Ｄ、搭載面３６Ａの上面から上方に立ち上がると共に基礎長手方向に沿って延びる一対の上フレーム取付面３６Ｅ、これら一対の上フレーム取付面３６Ｅの上端同士を連結する連結面３６Ｆを備えている。
【００４１】
なお、一方の側面３６Ｂと他方の側面３６Ｂとの間隔寸法Ｗ１（図３（Ｂ）参照）は、立上部２８Ａの幅寸法Ｗ０(図１（Ｂ）参照）よりも若干大きめに設定されている。
【００４２】
搭載面３６Ａ、側面３６Ｂ、支持面３６Ｃ、及び下フランジ部３６Ｄは、１枚の鋼板を曲げ加工することで形成されており、一対の上フレーム取付面３６Ｅと連結面３６Ｆとからなる断面コ字形状部分は、１枚の鋼板を曲げ加工することで形成され、上フレーム取付面３６Ｅの下端が搭載面３６Ａに溶接等で接合されている。
【００４３】
なお、支持フレーム３６は、内側基礎本体２８の立上部２８Ａの上部に搭載された状態で、その下面が床下の地盤１６に接触しないように地盤１６から浮かされている。
【００４４】
一方、上フレーム３８は、支持フレーム３６の上フレーム取付面３６Ｅに沿って配置される側面３８Ａと、側面３８Ａの上端から上フレーム取付面３６Ｅ側とは反対側へ、搭載面３６Ａと平行に延びる上面３８Ｂ、上面３８Ｂの側面３８Ａ側とは反対の端部から下方へ延びる上フランジ部３８Ｃを備え、全体的に断面略Ｌ字形状に形成されている。
【００４５】
支持フレーム３６の各側面３６Ｂには、長手方向に離れた２箇所に、後述するボルト４０を螺合させるナット４２が内面側に溶接等で接合されている。また、側面３６Ｂには、ナット４２の接合部分にボルト４０を挿通させる貫通孔４４が形成されている。
【００４６】
一方、上フレーム３８の側面３８Ａには、ボルト４０の螺子部が挿通可能（頭部は挿通不可）な上下方向に延びる長孔４６が形成されている。
上フレーム３８は、長孔４６を挿通させたボルト４０を支持フレーム３６のナット４２に螺合して締め付けることで、支持フレーム３６に固定される。
【００４７】
図３に示すように、上フレーム３８の連結面３６Ｆの下面には、長手方向に離れた２箇所にナット４８が溶接等で接合さており、ナット４８の接合された部分には、貫通孔５０が形成されている。このナット４８には、吊ボルト（アイボルト）５２が取り付けられている。
【００４８】
２つの吊ボルト５２が取り付けられる位置は、吊下げる際のバランスを取るために、フレームアッシー３４の幅方向中心線ＣＬ上であって、かつフレームアッシー３４の重心Ｇから等距離に設定されている。
【００４９】
なお、これら上フレーム３８、支持フレーム３６、ボルト４０、ナット４２、ナット４８、吊ボルト５２等は、メッキ、あるいは塗装、コーティング等の防錆処理が施されている。
【００５０】
図３に示すように、支持フレーム３６の支持面上には、長手方向に沿って複数の蓄電池３２が搭載されており、蓄電池３２は、上フレーム３８によって上から押さえられている。また、立上部幅方向外側へ蓄電池３２が脱落しないように、蓄電池３２は、上フレーム３８の上フランジ部３８Ｃと支持フレーム３６の下フランジ部３６Ｄとで角部分が押さえられている。なお、これら複数の蓄電池３２は、蓄電システム３０のバランスが取れるようにフレームアッシー３４の重心Ｇから均等に配置することは勿論である。
なお、吊ボルト５２は、吊上げ時のバランスを考慮して、蓄電池３２を搭載した蓄電システム３０の重心位置よりも上方に配置されている。
【００５１】
さらに、本実施形態の蓄電システム３０は、図１に示すように、内側基礎本体２８の上方に内側基礎本体２８に沿って配置される床大梁２４よりも、幅方向外側に上フレーム３８が位置しており、かつ床大梁２４の下面レベル２４Ｌよりも下側に上フレーム３８、及び支持フレーム３６位置している。このため、上フレーム３８と床９０の下面との間には、少なくとも上フレーム３８を上方にスライド可能な空間が設けられている。なお、図中、符号９１は断熱材である。  
【００５２】
本実施形態の蓄電池３２は、側面に端子５４、５６が設けられている。
本実施形態では、複数の蓄電池３２が接続ケーブル５８によって直列に接続されていると共に、直列接続された複数の蓄電池３２のうちの、直列接続における始端側の蓄電池３２の端子５４（例えばプラス極）、及び終端側の蓄電池３２の端子５６（例えば、マイナス極）には、宅内に引き込むための宅内引き込み用電気ケーブル６０が接続されている。
【００５３】
接続ケーブル５８、及び宅内引き込み用電気ケーブル６０の端部には、防水コネクタ６２が取り付けられている。
【００５４】
図４（Ａ）に示すように、防水コネクタ６２は、コード６４の導線の端部に接続される金属製のターミナル６６を備え、ターミナル６６は、一部が開口されたゴム、合成樹脂等の絶縁性を有した弾性体からなる防水キャップ６８で覆われている。
【００５５】
防水キャップ６８は、コード６４と防水キャップ６８との間からキャップ内部へ水が浸入しないようにコード６４の外周部分に密着している。
【００５６】
防水キャップ６８の開口周辺には、環状のパッキン７０が取り付けられている。このパッキン７０は、例えば、水を透過させることが無く、かつ絶縁性を有する無数の独立気泡を有するスポンジ様の物、例えば、発泡ゴム等の柔軟な素材で形成することができるが、柔軟であれば気泡な必ずしも必要としない。
【００５７】
例えば、図４（Ｂ）に示すように、蓄電池３２の端子５４にターミナル６６を取り付け、防水キャップ６８のパッキン７０を蓄電池３２の絶縁性のケース３２Ａに密着させれば、蓄電池３２のケース３２Ａと防水キャップ６８との間からキャップ内に水が浸入することは無い。
【００５８】
なお、図４に示す防水コネクタ６２の構造は一例であり、蓄電池３２の端子５４，５６に水が接触しないような構成であれば、他の構成の防水コネクタを用いても良い。
【００５９】
（作用）
先ず、本実施形態の蓄電システム３０の製造手順を説明する。
（１）  支持フレーム３６のナット４８に吊ボルト５２を取り付け、支持フレーム３６の支持面３６Ｃに複数の蓄電池３２を搭載する（図３参照）。
【００６０】
蓄電池３２の上に上フレーム３８を載せ、上フレーム３８の長孔４６を挿通させたボルト４０を、支持フレーム３６のナット４２に螺合して締め付ける。これによって、蓄電池３２は上フレーム３８で上から押さえられ、支持フレーム３６と上フレーム３８とで挟持された格好で固定される。さらに、支持フレーム３６の下フランジ部３６Ｅ、及び上フレーム３８の上フランジ部３８Ｃが蓄電池３２の側部に接触しているので、輸送時や、吊り上げ等の作業時に蓄電池３２がフレームアッシー３４から脱落することを防止できる。
【００６１】
なお、蓄電池３２は、間隔を開けて配置されており、蓄電池３２と蓄電池３２との間の隙間から工具を差し込んで、ボルト４０の締め付け作業を行うことが出来る。
【００６２】
（２）  蓄電池３２の端子５４，５６に接続ケーブル５８、及び宅内引き込み用電気ケーブル６０を接続する。本実施形態の蓄電システム３０では、接続ケーブル５８を用いて蓄電池３２を直列接続しているが、必要に応じて並列接続しても良い。
（３）  以上により、蓄電システム３０が完成する。
【００６３】
次に、蓄電システム３０をユニット建物１２の基礎構造体１８に取り付ける手順を説明する。
（１）  吊ボルト５２に、ワイヤを通したり、シャックルを取り付け、クレーンで蓄電システム３０を吊下げ、内側基礎本体２８の上方に運搬する(図５参照）。
そして、内側基礎本体２８の立上部２８Ａの上部に搭載面３６Ａが載るように蓄電システム３０を下ろす。
【００６４】
本実施形態では、蓄電システム３０を内側基礎本体２８の立上部２８Ａに搭載するのみであり、特に、ボルトその他の部材を用いて蓄電システム３０を内側基礎本体２８等に固定はしない。
【００６５】
本実施形態の蓄電システム３０には、吊ボルト５２が取り付けられているので、ユニット建物１２を建築する際に用いるクレーンを使って重量のある（例えば、総重量１００ｋｇ以上）蓄電システム３０を簡単に運搬、設置することができる。
【００６６】
（２）  吊ボルト５２からワイヤ（又はシャックル）を外し、その後、建物ユニット１８を基礎構造体１８に設置する。
【００６７】
（３）  その後、本実施形態では、蓄電システム３０の宅内引き込み用電気ケーブル６０を、例えば、柱２０と柱２０の間の隙間を介して宅内に引き込み、蓄電システム３０を種々の電気機器の電力源として用いることが出来る。なお、宅内引き込み用電気ケーブル６０を用いて蓄電池３２を充電できることは勿論である。
【００６８】
このようにして設置された本実施形態の蓄電システム３０によれば、蓄電池３２の重量が頑丈な基礎構造体１８に支持されるので、ユニット建物１２の建物本体に蓄電池３２の重量は一切作用せず、ユニット建物１２に影響が及ぶことは無い。
【００６９】
本実施形態の蓄電システム３０では、立上部２８Ａの上面よりも蓄電池３２の搭載されている支持面３６Ｃが下方に位置しているため、立上部２８Ａの上面と蓄電池３２の搭載されている支持面３６Ｃとが同じ高さの場合に比較して蓄電池３２の重心位置が下がって蓄電システム３０のバランスが取れる、即ち、蓄電システム３０の安定度が増し、地震等で揺れた際の蓄電システム３０の転倒を防止することが出来る。
【００７０】
蓄電池３２を交換する場合には、図６に示すように、ボルト４０を緩めて上フレーム３８を上方にスライドさせることで、蓄電池３２を取り出すことが出来る。
本実施形態の蓄電システム３０は、床大梁２４の下面よりも下側に位置しているので、上フレーム３８の上方には、上フレーム３８を上方にスライドできる空間を十分にとることが出来る。
【００７１】
なお、蓄電池３２の交換作業を容易にするために、蓄電システム３０の近傍の床９０等に開閉式の点検口等を設けることが好ましい。
【００７２】
ところで、床下浸水等が有った場合、蓄電池３２に水がかかったり水没する場合が考えられるが、各蓄電池３２の端子５４，５６は全て防水コネクタ６２の防水キャップ６８で覆われているのでショートや漏電の虞は無い。
【００７３】
吊ボルト５２は、蓄電システム３０を吊り上げる際等に必要であり、設置後は必要としないので、設置後には取り外しても良い。また、通常は吊ボルト５２を取り付けておかず、吊り上げる際に取り付けるようにしても良い。吊ボルト５２の代わりに、フックを取り付けても良く、ワイヤーやシャックルが引っかかる孔や切欠の形成された部材（鋼板等）を溶接等で上フレーム３８に接合しても良く、場合によっては上フレーム３８に貫通孔を開けるだけでも良い。何れにしても、蓄電システム３０をクレーン等で吊り上げるための吊上部（吊ボルト、螺子付きのフック、孔や切欠の形成された部材、貫通孔等）を設けておく必要がある。これにより、複数の蓄電池３２を一度に内側基礎本体２８に支持させることができる。このように、蓄電システム３０には、吊ボルト５２、ナット４８、フック等の、蓄電システム３０をクレーン等で吊り上げる際に用いる吊上部を、蓄電システム３０の重心よりも上側に設けることが好ましい。
【００７４】
本実施形態の蓄電システム３０では、蓄電池３２の３面（背面（端子側とは反対面）、上面、下面）を鋼板からなるフレームアッシー３４に接触させているので、フレームアッシー３４をヒートシンクとして利用することも出来る。
本実施形態の蓄電システム３０では、フレームアッシー３４が地盤１６から浮かされているため、地盤（土）１６に直置きした場合に比較して高い耐久性が得られる。
【００７５】
本実施形態の蓄電システム３０では、複数の蓄電池３２を直列接続しているので、宅内引き込み用電気ケーブル６０の他端からは、単体の蓄電システム３０よりも高い電圧を取り出すことができる。
【００７６】
［第２の実施形態］
以下、図７を用いて、本発明に係る蓄電システムの第２の実施形態について説明する。なお、第１の実施形態と同一構成には同一符号を付し、その説明は省略する。
図７には、蓄電システム３０をパネル工法の建物の基礎本体７４に取り付けられた例が示されている。
【００７７】
本実施形態の蓄電システム３０に用いられているフレームアッシー３４には、第１の実施形態のフレームアッシー３４とは一部の形状が異なる支持フレーム７６が用いられている。
本実施形態の支持フレーム７６は、側面７６Ｂの一部に立上部２８Ａ側へ凸となる断面略三角形の突起７８が形成されており、突起７８の先端が立上部２８Ａの側面に圧接している。側面７６Ｂは、ボルト４０の先端が基礎本体７４の立上部７４Ａの側面に接触しないように、突起７８以外の部分が立上部２８Ａの側面から離れている。
【００７８】
本実施形態では、床梁８０が、立上部２８Ａの上部に配置されたスペーサー８２の上に搭載されており、床梁８０と立上部２８Ａの上部との間の通風用の隙間に、支持フレーム７６の搭載面７６Ａが配置されているため、吊ボルト５２は、蓄電システム３０を移送するときに取り付け、蓄電システム３０を基礎本体７４に配置した後は、基礎本体７４の上に配置する床梁８０と干渉しないように取り外す。
【００７９】
なお、本実施形態では、基礎本体７４の立上部７４Ａの上面には、蓄電システム３０を吊下げるときに取り付けた吊ボルト５２の螺子部の先端、及びナット４８が当らないように逃げ穴８４が形成されている。
【００８０】
本実施形態の蓄電システム３０も第１の実施形態と同様に、蓄電池３２の重量が頑丈な基礎本体７４に支持されるので、建物本体に蓄電池３２の重量は一切作用せず、建物に影響が及ぶことは無い。
【００８１】
本実施形態の蓄電システム３０では、立上部２８Ａの両側面にフレームアッシー３４の突起７８が圧接しているので、蓄電池３２の交換作業等でフレームアッシー３４がずれたりすることが防止できる。
【００８２】
［第３の実施形態］
以下、図８を用いて、本発明に係る蓄電システムの第３の実施形態について説明する。なお、第１の実施形態と同一構成には同一符号を付し、その説明は省略する。
図８に示すように、本実施形態の蓄電システム３０に用いられているフレームアッシー３４には、第１の実施形態のフレームアッシー３４とは一部の形状が異なる支持フレーム８６が用いられている。
【００８３】
本実施形態の支持フレーム８６は、搭載面８６Ａ、及び支持面８６Ｂが平板状に形成されており、支持面８６Ｂの端部に下フランジ部８６Ｃが形成されている。また、支持フレーム８６の下面には、内側基礎本体２８の立上部２８Ａの側面に接触してズレを防止するため、一対のアングル８８が溶接等で接合されている。
【００８４】
なお、搭載面８６Ａには、上端同士が連結面８６Ｆで連結された一対の上フレーム取付面８６Ｄが溶接等で接合されている。
【００８５】
本実施形態の蓄電システム３０も第１の実施形態と同様に、蓄電池３２の重量が頑丈な内側基礎本体２８に支持されるので、ユニット建物１２の建物本体に蓄電池３２の重量は一切作用せず、ユニット建物１２に影響が及ぶことは無い。
【００８６】
以上、本発明の蓄電システム一実施形態について説明したが、本発明は、上記に限定されるものでなく、上記以外にも、その主旨を逸脱しない範囲内において種々変形して実施可能であることは勿論である。
上記実施形態では、例えば、フレームアッシー３４は立上部２８Ａを跨ぐように形成され、立上部２８Ａの両側に支持面３６Ｃを設けて立上部２８Ａの両側に蓄電池３２を配置したが、場合によっては、支持面３６Ｃはフレームアッシー３４の片側にのみ設けられていても良い。この場合、吊ボルト５２は、蓄電システム３０を吊上げた際のバランスの取れる位置に設けることは言うまでも無い。
【符号の説明】
【００８７】
１２    ユニット建物（建物）
２４    床大梁（梁）
２８    内側基礎本体(基礎）
２８Ａ  立上部
３０    蓄電システム
３２    蓄電池
３６    支持フレーム
３６Ａ  搭載面
３６Ｃ  支持面（支持部）
３６Ｅ  上フレーム取付面
３８    上フレーム
４０    ボルト（連結部材）
４２    ナット（連結部材）
５４    端子
５６    端子
５８    接続ケーブル
６０    宅内引き込み用電気ケーブル
６２    防水コネクタ
７４    基礎本体（基礎）
７４Ａ  立上部
７６    支持フレーム
７６Ａ  搭載面（搭載部）
７８    突起
８０    床梁
８６    支持フレーム
８６Ｂ  支持面（支持部）
【図１】
0005656724.tif 000002
【図２】
0005656724.tif 000003
【図３】
0005656724.tif 000004
【図４】
0005656724.tif 000005
【図５】
0005656724.tif 000006
【図６】
0005656724.tif 000007
【図７】
0005656724.tif 000008
【図８】
0005656724.tif 000009